(57)【要約】【課題】周囲の雰囲気に合う外観特性、排水桝内への土砂の流入を防止しながら良好な排水特性と簡易な対応によるその回復等を有し、廉価で大きな機械的強度を有する。【解決手段】排水桝５の開口形状と略同形の受け台部材２に形成した嵌合凹部９内に透水網体４を介して多数個の玉砂利１５を一体化してなる化粧プレート体３を着脱自在に組み合わせて構成され、排水桝５の開口部６に組み付けられることにより化粧プレート体３が排水桝５の表面外観を構成する。【選択図】  図１
2008179983.tif 000002
【特許請求の範囲】
【請求項１】
排水桝の開口部に対して着脱自在に組み付けられる排水桝蓋装置において、
底面部を貫通して排水孔が穿孔されるとともにこの排水孔に向かって傾斜が付された底面を有する嵌合凹部が形成され、上記排水桝の開口形状と略同形に形成された全体略浅皿状の受け台部材と、
多数個の玉砂利を並べて接着剤により上記嵌合凹部の内部空間と略同形のプレート状に一体化してなり、上記嵌合凹部に対してその開口縁と略同一面を構成して装填することにより上記受け台部材に組み合わされる化粧プレート体と、
上記受け台部材の上記嵌合凹部の底面と上記化粧プレート体の底面との間に介在される透水網体とから構成され、
上記受け台部材に対して上記化粧プレート体が、上記嵌合凹部に着脱自在に組み合わされることを特徴とする排水桝蓋装置。
【請求項２】
上記受け台部材が、レジンコンクリートにより形成されることを特徴とする請求項１に記載の排水桝蓋装置。
【発明の詳細な説明】
【技術分野】
【０００１】
本発明は、各種排水設備の途中に設置される雨水桝や汚水桝（本明細書においては排水桝と表現する。）の開口部を閉塞して組み付けられる排水桝蓋装置に関する。
【背景技術】
【０００２】
排水桝は、建物等の周囲に敷設した汚水や雨水を流す排水管等とともに排水設備を構成し、例えば排水管の曲がり部位や合流部位或いは勾配が変わる部位等に設置される。排水桝は、設置位置により地中に埋設した排水管の経路を確認することを可能とし或いは内部に溜まった汚水等の状況により詰まり発生箇所の目安を可能とする等の排水設備の維持管理上必須の設備である。排水桝は、一般住宅の敷地内では特に設置条件の規定は無いが、一般に上述した位置とともに排水管の管径に対して１２０倍以内の距離を目安にして設置される。
【０００３】
排水桝は、一般にコンクリートや塩化ビニル等の合成樹脂により円筒形或いは角筒形に形成され、その外周壁に設けた接続孔に上流側排水管と下流側排水管を内部空間に臨ませて接続する。排水桝は、上端部を地面に露出して埋設され、開口部に蓋体が着脱自在に組み付けられる（例えば、特許文献１を参照）。排水桝においては、地上に露出され設置状態において周囲から排水管等の点検や清掃或いは底に溜まった沈泥物等の除去等の作業に際して、蓋体が取り外される。
【０００４】
排水桝の蓋体は、従来セメントコンクリートによりもっぱら実用的な形状、外観、色調に形成されたものが用いられており、建物の周囲に沿って上述した位置に設置した各排水桝に組み付けられることにより地上に露出された状態で設置される。したがって、排水桝の蓋体は、居住者がこだわりを以って作り上げた建物や庭等の雰囲気を著しく損なわせてしまうために、居住者により目立たないようにする対応が図られることが多い。特許文献２には、土壌を収納可能とする凹所を形成して周囲と同化して美観の向上を図るようにした合成樹脂製の排水蓋が提案されている。
【０００５】
ところで、排水桝は、機能上、底にある程度の汚水が滞留している状態にあるため蚊等の発生源にもなる。特許文献３には、蓋体に形成した排水孔に、排水機能を保持して防虫機能を奏する防虫板が開示されている。
【０００６】
【特許文献１】特開２００５−２３６５２号公報
【特許文献２】登録実用新案第３１１９２３２号公報
【特許文献３】特開２００６−２２６３０号公報
【発明の開示】
【発明が解決しようとする課題】
【０００７】
一般住宅等に設置される排水設備においては、上述したように排水桝が、維持管理のために極めて重要であり、また建物の周囲に排水管を最短距離かつ最適勾配を付して敷設ためにもその設置位置が重要となる。排水設備においては、これらの条件に基づいて排水桝を建物の周囲に設置した場合に敷地内に多数個の比較的大きなセメントコンクリート製の排水桝の蓋体が存在することになり、これら蓋体がせっかくの建物や庭の雰囲気や景観を損なわせてしまうといった問題がある。
【０００８】
排水設備においては、排水桝を植木等の陰に設置したり蓋体を砂利や土により覆ってしまうといった対応が図られるが、点検清掃等を行う際の作業性が悪くなるとともに雨水等とともに砂利や土砂が蓋体から内部へと落ちて溜まり排水桝の機能が損なわれるといった問題を生じさせる。上述した特許文献２に開示された排水蓋は、雨水等の排水桝内への排水機能を有しておらず、水捌けが悪いといった問題や、経時変化に伴う機械的強度の劣化或いはコスト高等の問題がある。
【０００９】
また、上述した特許文献３に開示された防虫板は、蓋体に対して要求される排水機能と防虫機能とを付与するが、雨水等の流れ込みにより短期間のうちに目詰まりが生じて排水機能が充分に発揮されないといった問題がある。
【００１０】
したがって、本発明は、周囲の雰囲気に合わせた外観特性、目詰まりに対する簡易な保守対応による排水性の保持、排水桝内への土砂の流入防止性等を有する廉価で機械的強度も大きな排水桝蓋装置を提供することを目的に提案されたものである。
【課題を解決するための手段】
【００１１】
上述した目的を達成する本発明にかかる排水桝蓋装置は、受け台部材と化粧プレート体と透水網体とから構成され、排水桝の開口部に対して着脱自在に組付られる。排水桝蓋装置は、受け台部材が、例えばレジンコンクリートにより排水桝の開口形状と略同形でかつ上面に開口する嵌合凹部を形成した全体略浅皿状を呈し、嵌合凹部には底面部を貫通して排水孔が穿孔されるとともに底面がこの排水孔に向かって傾斜する略すり鉢状とされる。排水桝蓋装置は、化粧プレート体が、多数個の玉砂利を並べて接着剤により受け台部材の嵌合凹部の内部空間と略同形のプレート状に一体化してなり、嵌合凹部に対してその開口縁と略同一面を構成して装填される。排水桝蓋装置は、透水網体が、例えば防錆性に優れたステンレス線材を織り込んだり薄厚のステンレスプレートに多数個の貫通孔を穿孔して玉砂利よりも細目の網体に形成され、嵌合凹部の底面上にそのすり鉢形状に倣って変形して化粧プレート体の底面との間に介在される。
【００１２】
排水桝蓋装置においては、例えばレジンコンクリートにより受け台部材を形成し、内面に離型材を塗布して離型材層を形成した状態で嵌合凹部に透水網体を敷き込み、この透水網体上に嵌合凹部内に投入した多数個の玉砂利を並べて充填した接着剤により固める。排水桝蓋装置においては、玉砂利が接着剤によりある程度固まった状態で離型材層を介して中間体として嵌合凹部から取り出され、接着剤の乾燥硬化を経て化粧プレート体が形成される。排水桝蓋装置においては、受け台部材に対して化粧プレート体が、嵌合凹部内に装填されるように組み合わされ、建物等の周囲に敷設した排水管等が接続されて設置された排水桝の開口部にいわゆる落とし蓋の状態で組み付けられる。排水桝蓋装置においては、レジンコンクリート製の受け台部材や玉砂利を固めた化粧プレート体も比較的簡易な作業により廉価に形成されことで、セメントコンクリート製品との比較でさほど高価となることは無い。
【００１３】
排水桝蓋装置においては、レジンコンクリートにより形成された受け台部材が、同等の形状仕様のセメントコンクリート製品に比較して機械的強度や耐薬品性等に優れており耐久性が高い。排水桝蓋装置においては、化粧プレート体が、接着剤により結合した多数個の玉砂利間の間隙を介して雨水等を透過させて透水網体を通してすり鉢形状の嵌合凹部の底面部へと導いて排水孔から排水桝内へと導水することで、排水性の向上が図られるとともに排水桝内への土砂等の流入を防止する。
【００１４】
排水桝蓋装置においては、様々な色合いや光沢等を有するいわゆる化粧玉砂利を結合した化粧プレート体が排水桝の表面意匠を構成することにより、建物や庭の雰囲気や景観に適合したものの提供が可能である。排水桝蓋装置においては、化粧プレート体が受け台部材に対して着脱自在とされることにより、周囲の雰囲気等に合わせて交換自在であるとともに破損等が生じた場合でも交換可能である。排水桝蓋装置においては、化粧プレート体が、長期間の使用により玉砂利間の間隙に土砂等が詰まって排水特性が低下した場合でも受け台部材から取り外して洗浄等を行うことにより機能回復が図られるようになる。
【００１５】
排水桝蓋装置においては、化粧プレート体の底部に一体化した透水網体が、嵌合凹部の底面部においてその底面と玉砂利との間に全域に亘って間隙を構成して化粧プレート体を透過した雨水等を排水孔へと流れやすくする作用を奏し、排水性を向上させる。排水桝蓋装置においては、透水網体が多数個の玉砂利と一体化することで玉砂利の結合強度、すなわち化粧プレート体の機械的強度を向上させる。なお、排水桝蓋装置においては、既存の排水桝に対しても互換性を有して用いることが可能である。
【発明の効果】
【００１６】
以上のように構成された本発明にかかる排水桝蓋装置によれば、排水桝の開口形状と略同形の受け台部材に形成した嵌合凹部内に透水網体を介して多数個の玉砂利を一体化してなる化粧プレート体を着脱自在に組み合わせて構成する。排水桝蓋装置によれば、化粧プレート体が排水桝の表面意匠を構成して建物や庭等に合った雰囲気或いは景観を作り出すことが可能であり、土砂の流入を防止して雨水等を効率よく排水桝内に排水するとともに長年の使用による汚れや排水特性の低下も簡易な処理により回復することが可能であり、耐久性も大きくかつ廉価であるといった効果を奏する。
【発明を実施するための最良の形態】
【００１７】
以下、本発明の実施の形態として図面に示した排水桝蓋装置（以下、単に蓋体と略称する。）１について詳細に説明する。蓋体１は、図１に示すように、詳細を後述する受け台部材２と、化粧プレート体３と、透水網体４とから構成され、排水桝５の開口部６に対して着脱自在に組み付られる。排水桝５は、詳細を省略するがセメントコンクリートや塩化ビニル等の合成樹脂により例えば円筒形に形成され、汚水や雨水を流す排水管等とともに排水設備を構成する。なお、排水桝５は、一般にセメントコンクリート製の場合に３０ｃｍ又は４０ｃｍ、塩化ビニル製の場合に１５ｃｍ又は２０ｃｍのものが用いられ、外周壁の厚みを差し引いた外径の蓋体１が組み付られる。
【００１８】
排水桝５は、建物等から引き出されてその周囲に敷設した排水管の曲がり部位や合流部位或いは勾配が変わる部位等に設置され、図示を省略するが外周壁の適宜の位置に設けられた接続孔に上流側排水管と下流側排水管を開口部６に連続する内部空間７に臨ませてそれぞれ接続する。各排水桝５は、上端部を地面と同一面或いはやや突出した状態で埋設され、開口部６が上端縁から所定の高さ位置で内部空間７よりも大径とされて組み付けられる蓋体１の底部を受ける受け段部８を構成する。排水桝５は、開口部６が、受け段部８から開口縁に向かって次第に大径となるテーパ内周壁に形成される。なお、排水桝５は、敷地内ばかりでなく道路と敷地の境界付近にも公設桝として設置され、道路に埋設した下水管が接続される。
【００１９】
蓋体１は、受け台部材２が、例えばレジンコンクリートにより上面に開口する嵌合凹部９を有する全体略浅皿状を呈して形成される。レジンコンクリートは、周知のようにセメントコンクリートと同様に骨材として砂、砂利或いは軽量骨材を使用し、結合材として不飽和ポリエステル樹脂等の熱硬化性樹脂が用いられる。レジンコンクリートは、結合樹脂材と触媒による重合反応により硬化することで結合が緻密になり引張り強度、曲げ強度或いは圧縮強度等の機械的強度特性の大きな成形物が得られる。また、レジンコンクリートは、耐薬品性、特に排水設備に発生する硫化水素による腐食の耐性が大きく、防水性や有害物質の無発生特性或いはリサイクル特性等に優れている。
【００２０】
受け台部材２は、図２乃至図４に示すように上述した排水桝５の開口部６の開口形状と略同形、すなわち、開口部６の開口径とほぼ等しい外径と開口部６の上端縁から受け段部８の高さとほぼ等しい厚みを有し、外周面にテーパが付されて形成される。したがって、受け台部材２は、底面部１０が排水桝５内の受け段部８と略同形とされ、開口部６から内部空間７に落とし込まれるように組み付けられるとこの受け段部８上に支えられる。
【００２１】
受け台部材２は、排水桝５に組み付けられた状態で、図１に示すように上面に開口する嵌合凹部９を囲む外周壁部１１の開口縁が排水桝５の開口部６の上端縁と略同一高さとなる。受け台部材２には、外周壁部１１の開口縁に複数のガイド溝１２が形成され、これらガイド溝１２から指先や適宜の治具を差し込んで後述するように嵌合凹部９内に嵌合された化粧プレート体３の取り外しを可能とする。
【００２２】
受け台部材２には、底面部１０の略中央部に嵌合凹部９に貫通して排水孔１３が形成される。受け台部材２は、嵌合凹部９を構成する底面部１０の内面１０Ａが、外周側から中央の排水孔１３に向かって次第に傾斜する傾斜面とされることにより略すり鉢状に形成される。受け台部材２は、後述するように化粧プレート体３を透過して底面部１０の内面１０Ａに達する雨水等をすり鉢形状により排水孔１３へと導水し、この排水孔１３から排水桝５の内部空間７に排水されるようにして排水性の向上が図られる。なお、受け台部材２は、底面部１０に複数の排水孔１３を形成するようにしてもよい。
【００２３】
蓋体１は、化粧プレート体３が、多数個の玉砂利１５を樹脂接着剤１６により上述した受け台部材２の嵌合凹部９の内部空間と略同形のプレート状に一体化してなる。玉砂利１５は、例えば様々な色合いや光沢等を有する天然石等を所定の大きさに破砕して表面を磨き上げたいわゆる化粧玉砂利であり、周知のように建造物等の各種化粧外構、化粧路面等に用いられることにより独自の雰囲気や景観を醸し出す。
【００２４】
化粧プレート体３は、例えば後述する製造工程により受け台部材２を基台として、多数個の玉砂利１５を並べて樹脂接着剤１６として例えば透明なポリウレタン樹脂等を用いて一体化して製造する。化粧プレート体３は、多数個の玉砂利１５を一体化して形成したことから、各玉砂利１５間の微細な間隙により多孔体を構成し雨水等を良好に透過させる。また、化粧プレート体３は、各玉砂利１５間の微細な間隙が土砂等の大きな粒体の通過を阻止して排水桝５内への流入を防止するとともに、排水桝５内で発生して蚊等の飛び出しを阻止する。
【００２５】
化粧プレート体３は、受け台部材２の嵌合凹部９内に組み合わされた状態において、図２及び図３に示すように外周壁部１１の開口縁と略同一面を構成する。化粧プレート体３は、外部からの大きな衝撃力等に対して、厚み方向には大きな耐性を有しているが、特に外周縁に加えられた場合に樹脂接着剤１６による結合状態によっては玉砂利１５が脱落する虞もある。化粧プレート体３は、上述したように使用状態において嵌合凹部９内に組み合わされることにより表面を除いて外周部分を機械的強度の大きなレジンコンクリートにより形成した受け台部材２の外周壁部１１に囲まれた状態となることから、破損等の発生が抑制される。
【００２６】
蓋体１は、透水網体４が、例えば防錆性に優れたステンレス線材を織り込んだり薄厚のステンレスプレートに多数個の小孔を穿孔して玉砂利１５よりも細目の網体であり、上述した受け台部材２の嵌合凹部９と略同径に形成される。透水網体４は、後述する製造工程において受け台部材２の底面部１０に敷き込まれて多数個の玉砂利１５が並べられ、樹脂接着剤１６により化粧プレート体３と一体化される。透水網体４は、その際に並べられる玉砂利１５が底面部１０の底面１０Ａに滑り落ちないようにするとともに排水孔１３内への玉砂利１５の落下を防止する。透水網体４は、化粧プレート体３の底面部を構成して多数個の玉砂利１５を一体化することにより、玉砂利１５の結合強度、すなわち化粧プレート体３の機械的強度を向上させる作用を奏する。
【００２７】
透水網体４は、その形状特性により受け台部材２の底面部１０に敷き込んだ状態で上述したすり鉢状の内面１０Ａに倣って変形する。透水網体４は、化粧プレート体３を嵌合凹部９内に嵌合して組み合わせた状態で、化粧プレート体３の底面と底面部１０の内面１０Ａの間に介在することにより化粧プレート体３を透過した雨水等を効率よく排水孔１３へと導水する作用を奏する。
【００２８】
なお、蓋体１においては、透水網体４が、上述したように化粧プレート体３に対してその底面部を構成するようにして一体化したが、かかる構成に限定されないことは勿論である。蓋体１は、図４に示すように化粧プレート体３と透水網体４を別部材として構成してもよい。かかる蓋体１においては、透水網体４が、同図に示すように受け台部材２の嵌合凹部９内に敷き込まれ、その上に化粧プレート体３が装填されるようにする。透水網体４は、プレート状ばかりでなく、例えば外周縁から受け台部材２の外周壁部１１の内面に沿って立ち上がり部位を一体に立設した籠形状であってもよい。
【００２９】
上述した蓋体１について、図５を参照してその製造工程について説明する。なお、同図に示した製造工程は、化粧プレート体３に透水網体４が一体化された蓋体１の製造工程例を示すものである。製造工程は、レジンコンクリートを図示しない型枠内に流し込み、所定の硬化時間を経て脱型することにより受け台部材２を成形する（ステップ１）。製造工程は、所定の乾燥時間を経て硬化した受け台部材２を基台として透水網体４を一体化した化粧プレート体３が製造される。
【００３０】
製造工程は、作業台上等に受け台部材２を上向きの状態で載置し、その嵌合凹部９の内面に例えばシリコン等の離型材を塗布することにより全面に亘って離型材層１４を形成する（ステップ２）。製造工程は、離型材層１４を形成した受け台部材２の嵌合凹部９内に透水網体４を底面部１０の内面１０Ａに倣ってすり鉢状に湾曲させるようにして敷き込む（ステップ３）。製造工程は、透水網体４上に多数個の玉砂利１５を投入する（ステップ４）。製造工程は、この場合に、嵌合凹部９の開口縁部分でまで投入した状態で、仕上がり外観が保持されるように表面が開口縁と略同一面を構成するように玉砂利１５をきれいに並べて充填する。なお、製造工程は、内層と表面層とにより玉砂利１５の種類を変えるようにしてもよい。
【００３１】
製造工程は、嵌合凹部９内に充填された玉砂利１５に対して例えば透明若しくは半透明のポリウレタン樹脂接着剤からなる液状の樹脂接着剤１６を注ぎ込むようにして供給する（ステップ５）。樹脂接着剤１６には、例えば三井化学ポリウレタン社製の舗装材用ポリウレタン樹脂接着剤「タケネートＦ７０３Ｎ」等が用いられる。樹脂接着剤１６は、積み重ねられた玉砂利１５間を流れてそれぞれの外周部に付着するとともに最下層まで流れて透水網体４に達する。なお、製造工程においては、嵌合凹部９内に玉砂利１５を並べた状態で樹脂接着剤１６を供給することにより作業者の負担を軽減するようにしたがかかる方法に限定されないことは勿論である。製造工程は、例えば予め撹拌等することにより玉砂利１５の周囲に樹脂接着剤１６を充分に付着させた状態で嵌合凹部９内に投入するようにしてもよい。かかる方法によれば、内層の玉砂利１５まで樹脂接着剤１６が回り込むことでより強固な結合が行われるようになる。
【００３２】
製造工程は、樹脂接着剤１６が硬化することにより多数個の玉砂利１５が相互に結合されるとともに透水網体４もその上に並べられた玉砂利１５と結合して一体化する。製造工程は、樹脂接着剤１６がある程度硬化して各玉砂利１５と透水網体４とが一体化された中間体１７が嵌合凹部９から取り出される（ステップ６）。製造工程は、この中間体１７について樹脂接着剤１６が完全に乾燥硬化するまで一次保存され、所定の保存時間を経て透水網体４を一体化した化粧プレート体３を製造する（ステップ７）。
【００３３】
製造工程は、受け台部材２に対して、その嵌合凹部９内に化粧プレート体３を組み合わせることにより蓋体１を完成する（ステップ８）。化粧プレート体３は、透水網体４が底面部を構成することにより、上述した乾燥硬化のための一次保存や受け台部材２への組み合わせに際しても外周部位の玉砂利１５が脱落することなく所定の形状に保持される。
【００３４】
製造工程は、従来のセメントコンクリート製蓋体の製造工程と比較して化粧プレート体３を製造する工程が増えるが、設備投資も不要であるとともに簡易な工程であることから大幅にコスト増となることは無い。なお、離型材層１４については、受け台部材２にそのまま残しても蓋体１の使用上特に問題とはならないことから、中間体１７を取り出した後に剥離工程を施す必要も無い。但し、離型材層１４は、排水孔１３を閉塞して形成されているような場合には、除去される。
【００３５】
以上の工程を経て製造された蓋体１は、上述したように建物等の周囲に敷設した排水管等が接続されて設置された排水桝５の開口部６に対して、いわゆる落とし蓋の状態で組み付けられる。蓋体１は、玉砂利１５を並べた化粧プレート体３が排水桝５の表面意匠を構成して建物の周囲等に設置された排水桝５に組み付けられることにより、建物や庭等に合った雰囲気或いは景観を作り出す。蓋体１は、土砂の流入を防止して雨水等を効率よく排水桝内に排水するとともに長年の使用による汚れや排水特性の低下も簡易な処理により回復することが可能である。
【００３６】
すなわち、蓋体１は、排水桝５に組み付けた状態のままで、受け台部材２の外周壁部１１に形成したガイド溝１２から指先や適宜の治具を差し込んで外周部を保持した状態で上方へと持ち上げることにより、受け台部材２から化粧プレート体３のみを簡単に取り外すことが可能である。したがって、蓋体１は、化粧プレート体３が、ひどく汚れたり玉砂利１５の間隙に土砂が詰まって排水特性の低下が生じた場合に受け台部材２から取り外して洗浄処理を施して再組合せを行うことにより機能回復が簡易に図られる。
【図面の簡単な説明】
【００３７】
【図１】本発明の実施の形態として示す蓋体を組み付けた排水桝の要部断面図である。
【図２】蓋体の斜視図である。
【図３】蓋体の断面図である。
【図４】他の蓋体の分解斜視図である。
【図５】蓋体の製造工程図である。
【符号の説明】
【００３８】
１  蓋体（排水桝蓋装置）、２  受け台部材、３  化粧プレート体、４  透水網体、５  排水桝、６  開口部、７  内部空間、８  受け段部、９  嵌合凹部、１０  底面部、１１  外周壁部、１２  ガイド溝、１３  排水孔、１４  離型材層、１５  玉砂利、１６  樹脂接着剤、１７  中間体
【図１】
2008179983.tif 000003
【図２】
2008179983.tif 000004
【図３】
2008179983.tif 000005
【図４】
2008179983.tif 000006
【図５】
2008179983.tif 000007